(57)【要約】【課題】簡単な構成で被振動部を所望の方向に正確に振動可能な光走査装置を提供する。【解決手段】光ファイバ１１の射出端部を走査部２１により振動させながら、光ファイバ１１から射出される光を物体に照射して物体を２次元走査する光走査装置であって、光ファイバ１１の射出端部を含む被振動部の振動特性を調整する振動調整部７０を備える。【選択図】図４
2014145899.tif 000002
【特許請求の範囲】
【請求項１】
光ファイバの射出端部を走査部により振動させながら、前記光ファイバから射出される光を物体に照射して前記物体を２次元走査する光走査装置であって、
前記光ファイバの前記射出端部を含む被振動部の振動特性を調整する振動調整部を備える、
ことを特徴とする光走査装置。
【請求項２】
前記走査部は、前記光ファイバの前記射出端部に設けられて該射出端部とともに前記被振動部を構成する永久磁石と、該永久磁石の周囲に配置された複数のコイルとを備える、請求項１に記載の光走査装置。
【請求項３】
前記振動調整部は、前記被振動部の静止位置を、少なくとも前記光ファイバによる２次元走査面内で直交する方向の第１の軸又は第２の軸の軸回りに調整して、前記振動特性を調整する、請求項１又は２に記載の光走査装置。
【請求項４】
前記振動調整部は、前記被振動部の静止位置における前記永久磁石に対して、少なくとも１つの前記コイルの相対位置を調整して、前記振動特性を調整する、請求項２に記載の光走査装置。
【請求項５】
前記振動調整部は、前記永久磁石に形成された切り欠き部を有し、前記切り欠き部の向きを調整して、前記振動特性を調整する、請求項２に記載の光走査装置。
【請求項６】
前記振動調整部は、前記被振動部の質量を調整して、前記振動特性を調整する、請求項２に記載の光走査装置。
【請求項７】
前記振動調整部は、前記永久磁石の質量を調整して、前記振動特性を調整する、請求項６に記載の光走査装置。
【発明の詳細な説明】
【技術分野】
【０００１】
本発明は、光走査装置に関するものである。
【背景技術】
【０００２】
例えば、医療用内視鏡や工業用内視鏡として、撮像ユニットにＣＣＤやＣＭＯＳ等の固体撮像素子を用いた電子内視鏡が知られている。しかし、電子内視鏡は、固体撮像素子が内視鏡先端部に配置されることから、内視鏡先端部の細径化に限界がある。そこで、電子内視鏡よりも内視鏡先端部の細径化が可能な内視鏡として、固体撮像素子を用いることなく、被観察物に光を照射する光ファイバの射出端部を高速で振動させて被観察物を走査することにより画像を取得する走査型内視鏡が提案されている（例えば、特許文献１参照）。
【０００３】
特許文献１に開示の走査型内視鏡は、光ファイバの射出端部に取り付けられた永久磁石と、永久磁石の周囲のハウジングの内壁に配置された４つのコイルとを備える。４つのコイルは、対向する一方の２つのコイルが光ファイバの射出端部をＸ軸方向に駆動するＸコイルを構成し、他方の２つのコイルが光ファイバの射出端部をＸ軸方向と直交するＹ軸方向に駆動するＹコイルを構成する。Ｘコイルには、光ファイバの射出端部及び永久磁石を含む被振動部の共振周波数に相当する周波数の電流が給電される。Ｙコイルには、共振周波数よりも低周波数の電流が給電される。これにより、光ファイバの射出端部及び永久磁石を含む被振動部が、Ｘ軸方向に共振周波数で高速に振動しながらＹ軸方向に低速で振動して、被観察物がラスタ走査される。
【先行技術文献】
【特許文献】
【０００４】
【特許文献１】特開２００８−１１６９２２号公報
【発明の概要】
【発明が解決しようとする課題】
【０００５】
しかしながら、特許文献１に開示の構成においては、被振動部をＸ軸方向及びＹ軸方向に一定の振幅で振動させて被観察物をラスタ走査すると、被振動部の振動軌跡つまり被観察物への照射光の軌跡が、画像の取得走査範囲において、Ｘ軸方向及びＹ軸方向に必ずしも安定して直交せず、画像が歪む場合がある。その原因としては、被振動部がＸ軸方向やＹ軸方向に対称に構成されていなかったり、コイルが光ファイバに対して傾いていたり、していること等が想定される。このような現象は、ラスタ走査に限らず、スパイラル走査等の他の走査を行う場合にも同様に生じるものである。
【０００６】
したがって、かかる点に鑑みてなされた本発明の目的は、簡単な構成で被振動部を所望の方向に正確に振動可能な光走査装置を提供することにある。
【課題を解決するための手段】
【０００７】
上記目的を達成する本発明に係る光走査装置は、
光ファイバの射出端部を走査部により振動させながら、前記光ファイバから射出される光を物体に照射して前記物体を２次元走査する光走査装置であって、
前記光ファイバの前記射出端部を含む被振動部の振動特性を調整する振動調整部を備える、
ことを特徴とするものである。
【０００８】
前記走査部は、前記光ファイバの前記射出端部に設けられて該射出端部とともに前記被振動部を構成する永久磁石と、該永久磁石の周囲に配置された複数のコイルとを備えて構成することができる。
【０００９】
前記振動調整部は、前記被振動部の静止位置を、少なくとも前記光ファイバによる２次元走査面内で直交する方向の第１の軸又は第２の軸の軸回りに調整して、前記振動特性を調整してもよい。
【００１０】
前記振動調整部は、前記被振動部の静止位置における前記永久磁石に対して、少なくとも１つの前記コイルの相対位置を調整して、前記振動特性を調整してもよい。
【００１１】
前記振動調整部は、前記永久磁石に形成された切り欠き部を有し、前記切り欠き部の向きを調整して、前記振動特性を調整してもよい。
【００１２】
前記振動調整部は、前記被振動部の質量を調整して、前記振動特性を調整してもよい。
【００１３】
前記振動調整部は、前記永久磁石の質量を調整して、前記振動特性を調整してもよい。
【発明の効果】
【００１４】
本発明によれば、簡単な構成で被振動部を所望の方向に正確に振動可能な光走査装置を提供することができる。
【図面の簡単な説明】
【００１５】
【図１】第１実施の形態に係る光走査装置の一例である光走査型内視鏡装置の概略構成を示すブロック図である。
【図２】図１の光走査型内視鏡本体を概略的に示す概観図である。
【図３】図２の光走査型内視鏡本体の先端部の概略構成を示す図である。
【図４】図３の振動調整部の概略構成を示す図である。
【図５】第２実施の形態に係る光走査型内視鏡装置の振動調整部の概略構成を示す斜視図である。
【図６】図５の角型チューブの展開図である。
【図７】第３実施の形態に係る光走査型内視鏡装置の振動調整部の概略構成を示す図である。
【図８】第４実施の形態に係る光走査型内視鏡装置の振動調整部の概略構成を示す斜視図である。
【図９】第４実施の形態の変形例を示す図である。
【発明を実施するための形態】
【００１６】
以下、本発明の実施の形態について、図面を参照して説明する。
【００１７】
（第１実施の形態）
図１は、第１実施の形態に係る光走査装置の一例である光走査型内視鏡装置の概略構成を示すブロック図である。光走査型内視鏡装置１０は、光走査型内視鏡本体２０と、光源部３０と、検出部４０と、駆動電流生成部５０と、制御部６０と、表示部６１と、入力部６２とを含んで構成される。光源部３０と光走査型内視鏡本体２０との間は、例えばシングルモードファイバからなる照明用光ファイバ１１により光学的に接続される。検出部４０と光走査型内視鏡本体２０との間は、例えばマルチモードファイバからなる検出用光ファイババンドル１２により光学的に接続される。なお、光源部３０、検出部４０、駆動電流生成部５０及び制御部６０は、同一の筐体内に収納されていても良く、また、別々の筐体に収納されていても良い。
【００１８】
光源部３０は、例えば赤、緑及び青の三原色のＣＷ（連続発振）レーザ光を射出する３つのレーザ光源からの光を合波して白色光として出射する。レーザ光源としては、例えばＤＰＳＳレーザ（半導体励起固体レーザ）やレーザダイオードを使用することができる。もちろん、光源部３０の構成はこれに限られず、１つのレーザ光源を用いるものであっても、他の複数の光源を用いるものであっても良い。
【００１９】
光走査型内視鏡本体２０は、照明用光ファイバ１１の射出端部を走査部２１により振動させながら、光源部３０から照明用光ファイバ１１を経て射出される光を被観察物１００に照射して被観察物１００を２次元走査（本実施の形態ではラスタ走査）し、その走査により得られた信号光を集光して、検出用光ファイババンドル１２を経て検出部４０に伝送する。ここで、駆動電流生成部５０は、制御部６０からの制御に基づいて走査部２１に対して配線ケーブル１３を介して所要の振動電流を給電する。
【００２０】
検出部４０は、検出用光ファイババンドル１２により伝送された信号光をスペクトル成分に分離して、分離した信号光を電気信号に光電変換する。制御部６０は、光源部３０、検出部４０及び駆動電流生成部５０を同期制御するとともに、検出部４０により出力された電気信号を処理して、表示部６１に画像を表示する。また、制御部６０は、入力部６２からの入力操作による入力信号に基づいて、走査速度や表示画像の明るさ等、種々の設定を行う。
【００２１】
図２は、光走査型内視鏡本体２０を概略的に示す概観図である。光走査型内視鏡本体２０は、操作部２２及び可撓性の挿入部２３を備える。光源部３０からの照明用光ファイバ１１、検出部４０からの検出用光ファイババンドル１２、及び、駆動電流生成部５０からの配線ケーブル１３は、挿入部２３の内部を通して先端部２４（図２に破線で示す部分）まで導かれている。先端部２４は、操作部２２により湾曲操作される。
【００２２】
図３（ａ）及び（ｂ）は、図２の光走査型内視鏡本体２０の先端部２４の概略構成を示すもので、図３（ａ）は断面図で、図３（ｂ）は部分拡大斜視図である。先端部２４には、走査部２１、投影用レンズ２５ａ、２５ｂ及び図示しない検出用レンズ（図示せず）が設けられているとともに、照明用光ファイバ１１及び検出用光ファイババンドル１２が延在している。
【００２３】
走査部２１は、角型チューブ２６、コイル２７ａ〜２７ｄ及び永久磁石２８を含んで構成される。角型チューブ２６は、先端部２４の中心軸線に沿って長手方向に延びる中空の四角柱状のチューブである。角型チューブ２６の後端部は、振動調整部７０に固定される。振動調整部７０は、支持部材２９を介して挿入部２３内に固定される。なお、角型チューブ２６に代えて、円筒状や他の形状のチューブを用いても良い。
【００２４】
照明用光ファイバ１１は、射出端部がフェルール等の保持部材１１ｂを介して振動調整部７０に支持される。つまり、照明用光ファイバ１１は、保持部材１１ｂから突出する射出端部が一定の範囲で振動可能に振動調整部７０に支持される。一方、検出用光ファイババンドル１２は、先端部２４の外周部を通るように配置されている。
【００２５】
投影用レンズ２５ａ、２５ｂ及び検出用レンズは、先端部２４の先端面近傍に配置される。投影用レンズ２５ａ、２５ｂは、照明用光ファイバ１１の射出端面１１ａから射出されたレーザ光が、被観察物１００上にほぼ集光するように構成されている。また、検出用レンズは、被観察物１００上に集光されたレーザ光が、被観察物１００により反射、散乱、屈折等をした光（被観察物１００と相互作用した光）又は蛍光等を検出光として取り込み、検出用レンズの後に配置された検出用光ファイババンドル１２に集光、結合させるように配置される。なお、投影用レンズは、２枚構成に限られず、１枚や他の複数枚のレンズにより構成されても良い。
【００２６】
照明用光ファイバ１１の支持部１１ｂと射出端面１１ａとの間の一部には、照明用光ファイバ１１の軸方向に着磁された永久磁石２８（磁性体）が配置される。永久磁石２８は、照明用光ファイバ１１の軸方向に形成された貫通孔を有し、照明用光ファイバ１１が貫通孔を通った状態で、照明用光ファイバ１１に接着固定されている。また、角型チューブ２６の永久磁石２８の一方の極と対向する部分には、螺旋状にプリントされたコイル２７ａ〜２７ｄが配置されている。コイル２７ａ及びコイル２７ｃは角型チューブ２６の一方の対向する面に配置され、コイル２７ｂ及びコイル２７ｄは角型チューブ２６の他方の対向する面に配置される。コイル２７ａ及びコイル２７ｃの中心を結ぶ線と、コイル２７ｂ及びコイル２７ｄの中心を結ぶ線とは、角型チューブ２６のほぼ中心軸線付近で直交する。
【００２７】
駆動電流生成部５０からの配線ケーブル１３は、挿入部２３の内部を通ってコイル２７ａ〜２７ｄに接続される。配線ケーブル１３は、例えば２対のケーブルを有する。コイル２７ａ及びコイル２７ｃは、一方の対のケーブルに同一方向の磁場が発生するように直列又は並列に接続される。コイル２７ａ及びコイル２７ｃには、例えば照明用光ファイバ１１の射出端部及び永久磁石２８を含む被振動部の共振周波数に相当する周波数の電流が給電される。また、コイル２７ｂ及びコイル２７ｄは、他方の対のケーブルに同一方向の磁場が発生するように直列又は並列に接続される。コイル２７ｂ及びコイル２７ｄには、被振動部の共振周波数に相当する周波数よりも低い周波数の電流が給電される。
【００２８】
これにより、角型チューブ２６には、コイル２７ａ及びコイル２７ｃの中心を結ぶ線の方向（例えば、Ｘ軸方向）に偏向磁場が発生するとともに、コイル２７ｂ及びコイル２７ｄの中心を結ぶ線の方向（例えば、Ｙ軸方向）に偏向磁場が発生する。そして、Ｘ軸方向の偏向磁場及びＹ軸方向の偏向磁場と永久磁石２８の磁束との相互作用により、照明用光ファイバ１１の射出端部が各磁場強度の時間的変化に応じて振動して、被観察物１００が照明用光ファイバ１１を経て射出される光によりラスタ走査される。
【００２９】
本実施の形態では、振動調整部７０により、照明用光ファイバ１１の保持部材１１ａから突出する射出端部及び永久磁石２８を含む被振動部の振動特性が調整可能に構成される。以下、図４（ａ）〜（ｃ）に示す模式図を参照して、振動調整部７０の構成について説明する。
【００３０】
図４（ａ）及び（ｂ）は、振動調整部７０を一部切り欠いて示す側面図及び平面図である。図４（ｃ）は、振動調整部７０を照明用光ファイバ１１の射出端面１１ａ側から見た図である。振動調整部７０は、断面四角形状の硬質の筒状部材７１、ヨー方向調整ネジ７２、ピッチ方向調整ネジ７３、弾性部材７４を含んで構成される。ヨー方向調整ネジ７２は、Ｘ軸方向に延在するように筒状部材７１に螺合される。ピッチ方向調整ネジ７３は、筒状部材７１の軸方向において、ヨー方向調整ネジ７２とは異なる位置においてＹ軸方向に延在するように筒状部材７１に螺合される。弾性部材７４は、保持部材１１ｂをヨー方向調整ネジ７２及びピッチ方向調整ネジ７３のそれぞれの先端に押圧するように、保持部材１１ｂと筒状部材７１の内壁面との間に配置される。
【００３１】
図４（ａ）〜（ｃ）に示す振動調整部７０によると、被振動部の静止状態において、ヨー方向調整ネジ７２を回転させて、ヨー方向調整ネジ７２の筒状部材７１内への進入量を変化させると、その進入量の変化に応じて、保持部材１１ｂは、ピッチ方向調整ネジ７３の軸回り、すなわちＹ軸回りに回動する。同様に、ピッチ方向調整ネジ７３を回転させて、ピッチ方向調整ネジ７３の筒状部材７１内への進入量を変化させると、その進入量の変化に応じて、保持部材１１ｂは、ヨー方向調整ネジ７２の軸回り、すなわちＸ軸回りに回動する。これにより、被振動部の静止位置を、照明用光ファイバ１１による２次元走査面内で直交するＸ軸回り（ピッチ又はチルト方向）及びＹ軸回り（ヨー方向）に調整できるので、この静止位置を振動開始位置とする被振動部の振動特性を調整することが可能となる。
【００３２】
したがって、ヨー方向調整ネジ７２及びピッチ方向調整ネジ７３により被振動部の静止位置を調整する簡単な構成で、被振動部の振動軌跡つまり被観察物１００への照射光の軌跡が、画像の取得走査範囲において、Ｘ軸方向及びＹ軸方向に安定して直交するように、被振動部の振動特性を調整することが可能となる。なお、被振動部の振動特性の調整は、例えば、照明用光ファイバ１１を光走査型内視鏡本体２０に組み込むのに先立って、検査装置等を用いて画像を走査して行われる。そして、調整後は、調整状態が固定されて、光走査型内視鏡本体２０に組み込まれる。
【００３３】
以下、本発明の他の実施の形態について説明する。なお、以下の説明において、第１実施の形態で説明した構成要素と同一作用をなす構成要素には同一参照符号を付して説明を省略する。
【００３４】
（第２実施の形態）
図５は、第２実施の形態に係る光走査型内視鏡装置の振動調整部の概略構成を示す斜視図である。本実施の形態において、角型チューブ２６は筒状部材８０内に収納して配置される。角型チューブ２６は、図６に展開図を示すように、ポリイミド等の可撓性シート８１上に、コイル２７ａ〜２７ｄがそれぞれ形成されて所定の間隔で搭載されたシリコン基板８２ａ〜８２ｄを有し、シリコン基板８２ａ〜８２ｄが角型チューブ２６の各面を構成するように、可撓性シート８１の部分で湾曲されて筒状部材８０内に収納される。なお、照明用光ファイバ１１の保持部材１１ａは、支持部材２９に固定される。
【００３５】
本実施の形態に係る振動調整部９０は、筒状部材８０の後端部に、コイル２７ａが形成されたシリコン基板８２ａに当接するように螺合された調整ネジ９１と、コイル２７ｂが形成されたシリコン基板８２ｂに当接するように螺合された調整ネジ９２とを有する。なお、筒状部材８０の調整ネジ９１、９２の螺合部は、好ましくは、調整後に調整ネジ９１、９２の頭部が埋設できるように凹状に形成される。
【００３６】
シリコン基板８２ａは、両側の可撓性シート８１の曲げ弾性力により調整ネジ９１の先端に当接する。同様に、シリコン基板８２ｂは両側の可撓性シート８１の曲げ弾性力により調整ネジ９２の先端に当接する。したがって、被振動部の静止状態において、調整ネジ９１を回転させて、筒状部材８０内への進入量を変化させると、その進入量の変化に応じて、シリコン基板８２ａがＸ軸方向にシフトあるいはヨー方向に変位する。また、調整ネジ９２を回転させて、筒状部材８０内への進入量を変化させると、その進入量の変化に応じて、シリコン基板８２ｂがＹ軸方向にシフトあるいはピッチ方向に変位する。これにより、被振動部の静止位置での永久磁石２８とコイル２７ａ、２７ｂとの相対位置を調整して偏向磁場の方向を調整できるので、第１実施の形態の場合と同様に、静止位置を振動開始位置とする被振動部の振動特性を調整することが可能となる。
【００３７】
このように、本実施の形態においても、調整ネジ９１、９２により永久磁石２８とコイル２７ａ、２７ｂとの相対位置を調整する簡単な構成で、被振動部の振動軌跡つまり被観察物１００への照射光の軌跡が、画像の取得走査範囲において、Ｘ軸方向及びＹ軸方向に安定して直交するように、被振動部の振動特性を調整することが可能となる。なお、上述した被振動部の振動特性の調整は、第１実施の形態の場合と同様に、例えば照明用光ファイバ１１を光走査型内視鏡本体２０に組み込むのに先立って、検査装置等を用いて画像を走査して行われる。そして、調整後は、調整状態が固定されて、光走査型内視鏡本体２０に組み込まれる。
【００３８】
（第３実施の形態）
図７（ａ）及び（ｂ）は、第３実施の形態に係る光走査型内視鏡装置の振動調整部の概略構成を示すもので、図７（ａ）は被振動部の断面図、図７（ｂ）は被振動部の拡大斜視図である。本実施の形態に係る振動調整部１１０は、永久磁石２８の周面の一部に形成された切り欠き部２８ａを有する。切り欠き部２８ａは、例えば照明用光ファイバ１１の延在方向に沿って形成される。なお、照明用光ファイバ１１の保持部材１１ａは、支持部材２９に固定される。
【００３９】
照明用光ファイバ１１は、光走査型内視鏡本体２０に組み込むのに先立って、例えば検査装置等を用いて、図７（ｂ）に示すように、永久磁石２８を回転させて切り欠き部２８ａの向きを調整しながら、画像の走査結果に基づいてＸ軸方向及びＹ軸方向の振動軌跡が調整される。そして、永久磁石２８の切り欠き部２８ａの向きの調整後は、その調整状態が固定されて、光走査型内視鏡本体２０に組み込まれる。
【００４０】
したがって、本実施の形態においても、簡単な構成で、被振動部の振動軌跡つまり被観察物１００への照射光の軌跡が、画像の取得走査範囲において、Ｘ軸方向及びＹ軸方向に安定して直交するように、被振動部の振動特性を調整することが可能となる。
【００４１】
（第４実施の形態）
図８は、第４実施の形態に係る光走査型内視鏡装置の振動調整部の概略構成を示す斜視図である。本実施の形態に係る振動調整部１２０は、永久磁石２８の周面の一部に形成された傷部２８ｂを有する。つまり、振動調整部１２０は、被振動部の質量を、永久磁石２８の一部に傷部２８ｂを形成することにより調整して、被振動部の振動特性を調整する。なお、図示しないが照明用光ファイバ１１の保持部材１１ａは、支持部材２９に固定される。
【００４２】
傷部２８ｂは、例えば照明用光ファイバ１１を光走査型内視鏡本体２０に組み込むのに先立って、検査装置等を用いて画像を走査して得た結果に基づいて、例えばＹＡＧレーザ等のレーザ光の照射によって形成される。そして、調整後、照明用光ファイバ１１は光走査型内視鏡本体２０に組み込まれる。
【００４３】
このように、本実施の形態においては、振動調整部１２０が、被振動部の質量を調整するように、永久磁石２８の一部に形成された傷部２８ｂによって構成されるので、簡単な構成で、被振動部の振動軌跡つまり被観察物１００への照射光の軌跡が、画像の取得走査範囲において、Ｘ軸方向及びＹ軸方向に安定して直交するように、被振動部の振動特性を調整することが可能となる。
【００４４】
なお、被振動部の質量を調整する振動調整部１２０は、例えば図９に示すように、永久磁石２８の周面の一部に、接着剤や半田ボール等の質量体２８ｃを付着させて構成することもできる。
【００４５】
本発明は、上記実施の形態にのみ限定されるものではなく、幾多の変形又は変更が可能である。例えば、第１実施の形態においては、被振動部をＸ軸回り及びＹ軸回りに調整可能としたが、いずれか一方の軸回りにのみ調整可能に構成してもよい。同様に、第２実施の形態においても、一つのコイルと永久磁石との相対位置のみを調整可能に構成してもよい。
【００４６】
また、被観察物の２次元走査の態様は、ラスタ走査に限らず、スパイラル走査等の他の走査を行うように、被振動部を振動させてもよい。また、走査部は、永久磁石とコイルとを用いる電磁駆動方式に限らず、例えば被振動部にピエゾ素子を取り付けてピエゾ素子の変形により被振動部を振動させる圧電駆動方式やその他の駆動方式としてもよい。さらに、本発明は光走査型内視鏡装置に限らず、他の走査型観察装置や観察機能を有しないレーザ加工等の走査装置に適用することもできる。
【符号の説明】
【００４７】
１０    光走査型内視鏡装置
２０    光走査型内視鏡本体
１１    照明用光ファイバ
１１ａ    射出端面
１１ｂ    保持部材
１２    検出用光ファイババンドル
１３    配線ケーブル
２１    走査部
２２    操作部
２３    挿入部
２４    先端部
２５ａ、２５ｂ    投影用レンズ
２６    角型チューブ
２７ａ〜２７ｄ    コイル
２８    永久磁石
２８ａ    切り欠き部
２８ｂ    傷部
２８ｃ    質量体
２９    支持部材
３０    光源部
４０    検出部
５０    駆動電流生成部
６０    制御部
６１    表示部
６２    入力部
７０、９０、１１０、１２０    振動調整部
１００    被観察物
【図１】
2014145899.tif 000003
【図２】
2014145899.tif 000004
【図３】
2014145899.tif 000005
【図４】
2014145899.tif 000006
【図５】
2014145899.tif 000007
【図６】
2014145899.tif 000008
【図７】
2014145899.tif 000009
【図８】
2014145899.tif 000010
【図９】
2014145899.tif 000011